(57)【要約】【課題】動きの個人差にかかわらず、高精度かつ高信頼の報知を行うための技術を提供する。【解決手段】ベッド上の対象者の見守りを支援する見守り支援システムが、撮像装置から画像を取得する画像取得部と、画像から前記対象者が所定の動作を行うときの特徴を動作特徴として抽出する特徴抽出部と、過去の所定期間に撮影された前記対象者の画像から抽出された動作特徴を基に、前記対象者の通常動作特徴を表すデータを生成する学習部と、前記学習部により生成された前記対象者の通常動作特徴を表すデータを記憶する記憶部と、現在撮影された前記対象者の画像から抽出された動作特徴を、前記記憶部に記憶されている前記通常動作特徴と比べることにより、現在の前記対象者の動作が通常の動作か異常な動作かを判定する判定部と、前記判定部により異常な動作と判定された場合に、報知を行う報知部と、を有する。【選択図】図１
2019020993.tif 000002
【特許請求の範囲】
【請求項１】
ベッド上の対象者の見守りを支援する見守り支援システムであって、
前記対象者を撮影するように設置された撮像装置から画像を取得する画像取得部と、
前記画像取得部により得られた画像から、前記対象者が所定の動作を行うときの特徴を動作特徴として抽出する特徴抽出部と、
過去の所定期間に撮影された前記対象者の画像から前記特徴抽出部により抽出された動作特徴を基に、前記対象者の通常動作特徴を表すデータを生成する学習部と、
前記学習部により生成された前記対象者の通常動作特徴を表すデータを記憶する記憶部と、
現在撮影された前記対象者の画像から前記特徴抽出部により抽出された動作特徴を、前記記憶部に記憶されている前記通常動作特徴と比べることにより、現在の前記対象者の動作が通常の動作か異常な動作かを判定する判定部と、
前記判定部により異常な動作と判定された場合に、報知を行う報知部と、
を有することを特徴とする見守り支援システム。
【請求項２】
前記所定期間に前記対象者が前記所定の動作を複数回行っている場合に、
前記学習部は、複数回分の動作特徴を基に平均的な動作特徴を生成し、前記平均的な動作特徴を前記対象者の通常動作特徴とする
ことを特徴とする請求項１に記載の見守り支援システム。
【請求項３】
前記所定の動作は、起床動作、離床動作、又は、就床動作を含む
ことを特徴とする請求項１又は２に記載の見守り支援システム。
【請求項４】
前記特徴抽出部は、前記動作特徴として、頭部位置の軌跡、体重のかけ方、ベッドの柵の使用有無、及び、動作に要した時間のうち少なくとも１つを含む
ことを特徴とする請求項３に記載の見守り支援システム。
【請求項５】
ベッド上の対象者の見守りを支援する見守り支援システムの制御方法であって、
前記対象者を撮影するように設置された撮像装置から画像を取得するステップと、
取得された画像から、前記対象者が所定の動作を行うときの特徴を動作特徴として抽出するステップと、
過去の所定期間に撮影された前記対象者の画像から抽出された動作特徴を基に、前記対象者の通常動作特徴を表すデータを生成するステップと、
前記生成された前記対象者の通常動作特徴を表すデータを記憶部に記憶するステップと、
現在撮影された前記対象者の画像から抽出された動作特徴を、前記記憶部に記憶されている前記通常動作特徴と比べることにより、現在の前記対象者の動作が通常の動作か異常な動作かを判定するステップと、
異常な動作と判定された場合に、報知を行うステップと、
を有することを特徴とする見守り支援システムの制御方法。
【請求項６】
請求項５に記載の見守り支援システムの制御方法の各ステップをコンピュータに実行させるためのプログラム。
【発明の詳細な説明】
【技術分野】
【０００１】
本発明は、ベッド上の対象者の見守りを支援するための技術に関する。
【背景技術】
【０００２】
介護施設や病院等では、介護士や看護師などによる見守りの負担を減らすために、要介護者や患者の動作を検知して報知するセンサのニーズが増している。特許文献１には、患者の動作を検知し、患者の動作と容態に応じた報知を行う、見守り支援システムが開示されている。
【先行技術文献】
【特許文献】
【０００３】
【特許文献１】特開２０１２−０７１００４号公報
【発明の概要】
【発明が解決しようとする課題】
【０００４】
特許文献１のシステムでは、カメラで撮影した画像に基づき、患者の起床動作（ベッド上での起き上がり）や離床動作（ベッドから降りること）などの所定の動作を検知し、報知を行っている。しかしながら、実際の動き方には個人差があるため、患者によっては動作の検知に失敗したり検知精度が低下する可能性がある。また、同じ動き方でも、ある患者にとっては通常の動作であるが、別の患者にとっては異常な動作（あるいは危険な動作）である可能性もある。したがって、従来システムでは、「報知すべき動作を見過ごし報知しない」、「報知の必要がないにもかかわらず報知してしまう」などの問題が発生している。このような誤検知や過検知の発生は、システムの信頼性を低下させるため、望ましくない。
【０００５】
本発明は、上記実情に鑑みなされたものであって、動きの個人差にかかわらず、高精度かつ高信頼の報知を行うための技術を提供することを目的とする。
【課題を解決するための手段】
【０００６】
上記目的を達成するために、本発明では、対象者自身の通常の動作をあらかじめ学習し、通常の動作と比較することで対象者の動作の異常の有無を判定する、という方法を採用する。
【０００７】
具体的には、本発明の第一態様は、ベッド上の対象者の見守りを支援する見守り支援システムであって、前記対象者を撮影するように設置された撮像装置から画像を取得する画像取得部と、前記画像取得部により得られた画像から、前記対象者が所定の動作を行うときの特徴を動作特徴として抽出する特徴抽出部と、過去の所定期間に撮影された前記対象者の画像から前記特徴抽出部により抽出された動作特徴を基に、前記対象者の通常動作特徴を表すデータを生成する学習部と、前記学習部により生成された前記対象者の通常動作特徴を表すデータを記憶する記憶部と、現在撮影された前記対象者の画像から前記特徴抽出部により抽出された動作特徴を、前記記憶部に記憶されている前記通常動作特徴と比べることにより、現在の前記対象者の動作が通常の動作か異常な動作かを判定する判定部と、前記判定部により異常な動作と判定された場合に、報知を行う報知部と、を有することを特徴とする見守り支援システムを提供する。
【０００８】
この構成によれば、見守りの対象者自身の通常の動作を学習（記憶）し、その通常の動作と比較することで対象者の動作が異常であるか否かを判定するので、動きの個人差にか
かわらず、異常な動作を精度良く検知することができる。したがって、従来のような誤検知や過検知を減らすことができ、システムの信頼性を向上することができる。
【０００９】
前記所定期間に前記対象者が前記所定の動作を複数回行っている場合に、前記学習部は、複数回分の動作特徴を基に平均的な動作特徴を生成し、前記平均的な動作特徴を前記対象者の通常動作特徴とすることが好ましい。同じ人でも動作のたびに特徴のばらつきが生じる可能性があるところ、複数回分の動作特徴を基に平均的な動作特徴を生成することで、通常動作特徴の信頼性を向上することができる。
【００１０】
前記所定の動作は、起床動作、離床動作、又は、就床動作を含むとよい。これらの動作は個人差が大きいため、従来技術では検知精度の向上が難しいが、本発明によれば、個人差を考慮した高精度な異常判定を実現することができる。
【００１１】
前記特徴抽出部は、前記動作特徴として、頭部位置の軌跡、体重のかけ方、ベッドの柵の使用有無、及び、動作に要した時間のうち少なくとも１つを含むとよい。これらの動作特徴に個人差が現れやすいため、通常動作特徴の学習や通常動作特徴と現在の動作特徴との比較を行いやすく、高精度な異常判定を実現することができる。
【００１２】
なお、本発明は、上記構成ないし機能の少なくとも一部を有する見守り支援システムとして捉えることができる。また、本発明は、上記処理の少なくとも一部を含む、見守り支援方法又は見守り支援システムの制御方法や、これらの方法をコンピュータに実行させるためのプログラム、又は、そのようなプログラムを非一時的に記録したコンピュータ読取可能な記録媒体として捉えることもできる。上記構成及び処理の各々は技術的な矛盾が生じない限り互いに組み合わせて本発明を構成することができる。
【発明の効果】
【００１３】
本発明によれば、ベッド上の対象者の状態ないし行動を高精度かつ高信頼に検知することができる。
【図面の簡単な説明】
【００１４】
【図１】図１は見守り支援システムのハードウェア構成および機能構成を模式的に示すブロック図である。
【図２】図２は撮像装置の設置例を示す図である。
【図３】図３Ａは時系列画像データの模式図であり、図３Ｂは７項目の動作の開始と終了の判断ロジックの例を示す図である。
【図４】図４は７項目の動作の動作特徴の例を示す図である。
【図５】図５Ａは起床動作の時系列画像の例を示す図であり、図５Ｂは時系列画像から抽出された頭部位置の軌跡の例を示す図であり、図５Ｃは時系列画像から抽出された体重のかけ方の例を示す図である。は回帰器の機械学習を模式的に示す図である。
【図６】図６は対象者の通常動作の学習処理のフローチャートである。
【図７】図７は対象者の動作の監視処理のフローチャートである。
【発明を実施するための形態】
【００１５】
本発明は、ベッド上の対象者の見守りを支援するための技術に関する。この技術は、病院や介護施設などにおいて、患者や要介護者などの離床・起床行動を自動で検知し、危険な状態が発生した場合などに必要な通知を行うシステムに適用することができる。このシステムは、例えば、高齢者、認知症患者、子供などの見守り支援に好ましく利用することができる。
【００１６】
以下、図面を参照して本発明を実施するための好ましい形態の一例を説明する。ただし
、以下の実施形態に記載されている装置の構成や動作は一例であり、本発明の範囲をそれらのみに限定する趣旨のものではない。
【００１７】
（システム構成）
図１と図２を参照して、本発明の実施形態に係る見守り支援システムの構成を説明する。図１は、見守り支援システム１のハードウェア構成および機能構成を模式的に示すブロック図であり、図２は、撮像装置の設置例を示す図である。
【００１８】
見守り支援システム１は、主なハードウェア構成として、撮像装置１０と情報処理装置１１を有している。撮像装置１０と情報処理装置１１の間は有線又は無線により接続されている。図１では、１つの撮像装置１０のみ示しているが、複数台の撮像装置１０を情報処理装置１１に接続してもよい。
【００１９】
撮像装置１０は、ベッド上の対象者を撮影して画像データを取り込むためのデバイスである。撮像装置１０としては、モノクロ又はカラーの可視光カメラ、赤外線カメラ、三次元カメラなどを用いることができる。本実施形態では、夜間でも（部屋内が暗い場合でも）対象者の見守りを可能とするため、赤外線ＬＥＤ照明１００と近赤外線カメラ１０１で構成される撮像装置１０を採用する。撮像装置１０は、図２に示すように、ベッド２０の頭側上方から足側に向かって、ベッド２０の全体を俯瞰するように設置される。撮像装置１０は所定の時間間隔（例えば、３０ｆｐｓ）で撮影を行い、その画像データは情報処理装置１１に順次取り込まれる。
【００２０】
情報処理装置１１は、撮像装置１０から取り込まれる画像データをリアルタイムに分析し、ベッド２０上の対象者２１の状態や行動を自動で検知し、必要な場合に通知を行う機能を備える装置である。情報処理装置１１は、具体的な機能モジュールとして、画像取得部１１０、動作検出部１１１、動作特徴抽出部１１２、学習部１１３、記憶部１１４、判定部１１５、報知部１１６を有している。
【００２１】
本実施形態の情報処理装置１１は、ＣＰＵ（プロセッサ）、メモリ、ストレージ（ＨＤＤ、ＳＳＤなど）、入力デバイス（キーボード、マウス、タッチパネルなど）、通信インタフェースなどを具備する汎用のコンピュータにより構成され、上述した情報処理装置１１の各モジュールは、ストレージ又はメモリに格納されたプログラムをＣＰＵが実行することにより実現される。ただし、情報処理装置１１の構成はこの例に限られない。例えば、複数台のコンピュータによる分散コンピューティングを行ってもよいし、上記モジュールの一部をクラウドサーバにより実行してもよいし、上記モジュールの一部をＡＳＩＣやＦＰＧＡのような回路で構成してもよい。
【００２２】
画像取得部１１０は、撮像装置１０により撮影された画像を取得するためのモジュールである。画像取得部１１０より入力された画像データは一時的にメモリ又はストレージに記憶され、後述する動作検出、動作特徴の抽出、通常動作の学習、動作の監視などの各種処理に供される。
【００２３】
動作検出部１１１は、画像取得部１１０により取得された画像（動画像データないし時系列の画像データ）を分析し、見守り対象者２１の所定の動作を検出するモジュールである。「所定の動作」は、本システムが監視の対象とする動作である。どのような動作を「所定の動作」に設定しても構わないが、見守り対象者２１が一日の生活のなかで必ず行う動作を「所定の動作」に設定するとよい。必ず行う動作を日々監視することで、見守り対象者２１の異常や異常の兆候を精度良く検知できると期待できるからである。動作検出部１１１は、画像取得部１１０により取得される画像のみから動作を検出してもよいが、他のセンサの検知結果を動作検出に利用してもよい。
【００２４】
動作特徴抽出部１１２は、画像取得部１１０により得られた画像から、見守り対象者２１が所定の動作を行うときの特徴を「動作特徴」として抽出するモジュールである。「動作特徴」にはどのような特徴（特徴量とも称す）を用いてもよいが、個人差の現れやすい特徴を用いることが好ましい。１つの動作について１つの特徴だけでなく複数の特徴を抽出してもよい。動作特徴には、１フレームの画像から抽出される特徴を用いてもよいし、複数フレームの画像から抽出される特徴を用いてもよいし、画像の撮影時刻や動作の開始から終了までの時間などのように時間に関する特徴を用いてもよい。また、画像取得部１１０により得られた画像から抽出した特徴だけでなく、他のセンサの検知結果から抽出した特徴を動作特徴に加えてもよい。
【００２５】
学習部１１３は、過去の所定期間に撮影された見守り対象者２１自身の画像から抽出された動作特徴を基に、その見守り対象者２１の通常動作特徴を表すデータを生成するモジュールである。「所定期間」は任意に設定できるが、少なくとも１日間、好ましくは数日間であるとよい。また、学習部１１３の目的は、見守り対象者２１の通常時の動作特徴（いつもの動き方）を学習することにあるため、見守り対象者２１に異常が発生したときの画像は学習用の画像から除外するとよい。学習部１１３により生成された通常動作特徴を表すデータは記憶部１１４に格納される。
【００２６】
記憶部１１４は、見守り支援システム１が処理に用いる各種のデータを記憶するモジュールである。記憶部１１４には、少なくとも、動作検出、動作特徴の抽出、通常動作の学習、動作の監視などの各種処理で用いられるパラメータ、監視領域の設定情報、過去複数フレームの画像データ又は検出結果、見守り対象者２１の通常動作特徴を表すデータを記憶するための記憶エリアが設けられる。
【００２７】
判定部１１５は、見守り対象者２１の動作を監視し、異常な動作を検知するモジュールである。具体的には、判定部１１５は、現在撮影された見守り対象者２１の画像（つまり、画像取得部１１０により取り込まれるリアルタイムの監視画像）から抽出された動作特徴を、記憶部１１４に記憶されている見守り対象者２１の通常動作特徴と比べることにより、現在の見守り対象者２１の動作が通常の動作か異常な動作かを判定する。すなわち、現在の動作特徴が通常動作特徴と同じか実質的に同じものであれば、見守り対象者２１の動作は「通常の動作」と判定でき、現在の動作特徴が通常動作特徴と明らかに異なるものであれば、見守り対象者２１の動作は「異常な動作」と判定できる。異常な動作（通常とは異なる動作）を見守り対象者２１がとった場合、見守り対象者２１に何らかの異常が発生した可能性がある。このように、このように、本システムでは、見守り対象者２１自身の通常の動作と比較することで異常の有無を判定するので、動きの個人差にかかわらず、異常な動作を精度良く検知することができる。
【００２８】
報知部１１６は、判定部１１５により見守り対象者２１の異常な動作が検知された場合に、必要な報知を行うモジュールである。報知部１１６は、見守り対象者２１の動作の危険度合いに応じて、通知の要否（例えば、危険な状態の場合のみ通知を行う）、通知の内容（例えばメッセージの内容）、通知手段（例えば音声、メール、ブザー、警告灯）、通知先（例えば看護師、医師）、通知の頻度などを切り替えることができる。
【００２９】
（動作検出）
動作検出部１１１による動作検出処理の一例を説明する。本実施形態では、見守り対象者２１の動作として、（１）朝の覚醒（睡眠状態から覚醒状態になること）、（２）起床（ベッド上で体を起こすこと）、（３）離床（ベッドから離れること）、（４）歩行（ベッドの周囲を歩くこと）、（５）食事、（６）就床（ベッドに寝た状態となること）、（７）夜の入眠（覚醒状態から睡眠状態になること）、の７項目の所定の動作を監視の対象
とする。以下、見守り対象者２１を単に対象者２１とも呼ぶ。
【００３０】
図３Ａに示すように、画像取得部１１０から取得される時系列画像データには、対象者２１が上記の所定の動作を行うシーンが含まれている。ただし、対象者２１が各々の動作をいつ行うかは不明であるし、日によって異なる。そこで本システムでは、動作検出部１１１によって各動作の「開始」と「終了」を自動で検知することにより、時系列画像データから各動作に対応するパート（フレーム群）を特定する。
【００３１】
図３Ｂは、７項目の動作それぞれの開始判断ロジックと終了判断ロジックの一例を示している。なお、「起床」や「食事」のようにある程度の時間続く動作については「開始」と「終了」を判断するが、「朝の覚醒」や「夜の入眠」のように継続しない動作については「開始」のみ判断する。
【００３２】
（１）朝の覚醒
動作検出部１１１は、「目が開いたこと」及び／又は「身体が動いたこと」が検知された場合に、覚醒動作の「開始」と判断する。「目が開いたこと」は例えば公知の画像認識（顔器官検出など）により検知可能である。また「身体が動いたこと」は例えば公知の画像認識（人体検出など）により検知してもよいし、対象者２１又はベッドに装着した加速度センサにより体動を検知してもよいし、ベッドサイドに設置した電波センサにより体動を検知してもよい。
【００３３】
（２）起床
動作検出部１１１は、「頭が枕又はベッドから離れたこと」が検知された場合に、起床動作の「開始」と判断する。「頭が枕又はベッドから離れたこと」は例えば公知の画像認識（頭部検出など）により検知してもよいし、枕又はベッドに設置した荷重センサにより検知してもよい。動作検出部１１１は、「頭がベッド中央位置に移動したこと」及び／又は「ベッド上に上半身が起立したこと」が検知された場合に、起床動作の「終了」と判断する。頭や上半身の位置・状態は例えば公知の画像認識により検知してもよいし、ベッドに設置した荷重センサにより検知してもよい。
【００３４】
（３）離床
動作検出部１１１は、「身体がベッドの降り口方向に移動したこと」が検知された場合に、離床動作の「開始」と判断する。身体の移動は例えば公知の画像認識により検知してもよいし、ベッドに設置した荷重センサにより検知してもよい。動作検出部１１１は、「身体がベッドから離れたこと」が検知された場合に、離床動作の「終了」と判断する。「身体がベッドから離れたこと」は例えば公知の画像認識により検知してもよいし、ベッドに設置した荷重センサにより検知してもよいし、人感センサにより検知してもよい。
【００３５】
（４）歩行
動作検出部１１１は、「身体がベッドから離れたこと」が検知された場合に、歩行動作の「開始」と判断する。「身体がベッドから離れたこと」は例えば公知の画像認識により検知してもよいし、ベッドに設置した荷重センサにより検知してもよいし、人感センサにより検知してもよい。動作検出部１１１は、「身体がベッドに戻ったこと」又は「身体が監視領域外へ移動したこと」が検知された場合に、歩行動作の「終了」と判断する。「身体がベッドに戻ったこと」は例えば公知の画像認識により検知してもよいし、ベッドに設置した荷重センサにより検知してもよいし、人感センサにより検知してもよい。「身体が監視領域外へ移動したこと」は例えば公知の画像認識により検知してもよいし、人感センサにより検知してもよい。
【００３６】
（５）食事
動作検出部１１１は、「配膳」及び／又は「口に食べ物を運んだこと」が検知された場合に、食事動作の「開始」と判断する。「配膳」や「口に食べ物を運んだこと」は例えば公知の画像認識により検知可能である。動作検出部１１１は、「下げ膳」及び／又は「食べ物が無くなったこと」が検知された場合に、食事動作の「終了」と判断する。「下げ膳」及び／又は「食べ物が無くなったこと」は例えば公知の画像認識により検知可能である。なお、病院や施設において配膳と下げ膳の時刻が予め決まっている場合には、その時刻をそのまま食事動作の開始時刻・終了時刻としてもよい。
【００３７】
（６）就床
動作検出部１１１は、「頭がベッドの中央位置から枕の方向に移動したこと」が検知された場合に、就床動作の「開始」と判断する。動作検出部１１１は、「頭が枕又はベッドに着いたこと」が検知された場合に、就床動作の「終了」と判断する。頭の位置・状態は例えば公知の画像認識により検知してもよいし、ベッド又は枕に設置した荷重センサにより検知してもよい。
【００３８】
（７）夜の入眠
動作検出部１１１は、「目が閉じたこと」及び／又は「身体の動きが停止したこと」が検知された場合に、入眠動作の「開始」と判断する。「目が閉じたこと」は例えば公知の画像認識（顔器官検出など）により検知可能である。また「身体の動きが停止したこと」は例えば公知の画像認識（人体検出など）により検知してもよいし、対象者２１又はベッドに装着した加速度センサにより体動を検知してもよいし、ベッドサイドに設置した電波センサにより体動を検知してもよい。
【００３９】
（動作特徴の抽出）
動作特徴抽出部１１２による動作特徴抽出処理の一例を説明する。図４は、７項目の動作それぞれについて抽出する動作特徴の一例示している。
【００４０】
（１）朝の覚醒
動作特徴抽出部１１２は、例えば「目が開いた時刻」を覚醒動作の特徴として抽出する。時間情報については、画像データのタイムスタンプ又は本システムの内蔵時計から取得すればよい（以後同様である）。
【００４１】
（２）起床
動作特徴抽出部１１２は、例えば「頭部位置の軌跡」、「体重のかけ方（体重移動）」、「柵の使用有無」、「起床動作に要した時間」を起床動作の特徴として抽出する。図５Ａは、起床動作の開始から終了までの時系列画像の一例を示している。動作検出部１１１により起床動作の開始が検出されると、動作特徴抽出部１１２が、画像から頭部を検出し、以後、起床動作の終了まで、頭部位置の追跡を行う。頭部検出及び追跡の方法については、公知の物体認識及び物体追跡アルゴリズムを用いればよい。図５Ａの矩形枠は頭部の検出結果を示している。起床動作が終了したら、動作特徴抽出部１１２は、起床動作の開始から終了までのフレーム毎の頭部位置（例えば、矩形枠の中心座標）のデータを、「頭部位置の軌跡」として記録する。図５Ｂは、図５Ａの時系列画像から抽出された頭部位置の軌跡を模式的に示している。この対象者２１は、起き上がるときに頭部が身体の中心よりも左側を通る特徴（動きの癖）を有していることがわかる。
【００４２】
また図５Ｃは、図５Ａの時系列画像から抽出された体重のかけ方（体重移動）を模式的に示している。図５Ｃにも、起き上がるときに上体を左側に傾けるという特徴が現れていることがわかる。「体重のかけ方」の特徴抽出はどのような方法でもよい。例えば、動作特徴抽出部１１２は、ベッドに設置した荷重センサの計測結果から対象者２１の体圧分布を抽出してもよいし、画像から対象者２１の姿勢、シルエット、頭部と体の位置などを検
出することで体圧分布や重心などを大まかに推定してもよい。
【００４３】
「柵の使用有無」は、対象者２１がベッドから起き上がるときにベッド脇の柵を使用するか（掴むか）否かを示す情報である。動作特徴抽出部１１２は、例えば、画像から対象者２１の手を検出し、手の位置とベッド脇の柵との位置関係に基づいて、対象者２１が柵に手をかけているか否かを判定することができる。あるいは、柵に設置したタッチセンサにより対象者２１が柵に触れていることを検知してもよい。「起床動作に要した時間」は、起床動作の終了時刻と開始時刻の差である。柵の使用有無や起床動作に要した時間なども個人差が現れやすい特徴である。
【００４４】
（３）離床
動作特徴抽出部１１２は、例えば「頭部位置の軌跡」、「体重のかけ方（体重移動）」、「柵の使用有無」、「離床動作に要した時間」を離床動作の特徴として抽出する。「頭部位置の軌跡」、「体重のかけ方（体重移動）」、「柵の使用有無」については、起床動作の特徴と同じ方法で抽出することができる。「離床動作に要した時間」は、離床動作の終了時刻と開始時刻の差である。
【００４５】
（４）歩行
動作特徴抽出部１１２は、例えば「移動速度」、「歩き方」を歩行動作の特徴として抽出する。動作特徴抽出部１１２は、複数フレーム間での対象者２１の位置の変化に基づいて「移動速度」を求めることができる。「歩き方」としては、例えば、身体の折り曲げ具合（腹痛などの異常がある場合は身体を折り曲げる傾向にある）、歩幅、移動軌跡の揺れ、体幹の揺れなどの特徴を捉えてもよい。動作特徴抽出部１１２は、複数フレームの画像を分析することによりこれらの特徴を抽出することができる。
【００４６】
（５）食事
動作特徴抽出部１１２は、例えば「食事に要した時間」、「動きの量」を食事動作の特徴として抽出する。「食事に要した時間」は食事の終了時刻と開始時刻の差である。「動きの量」は、例えば、食事中に手を口に運んだ回数、咀嚼回数などの情報である。動作特徴抽出部１１２は、複数フレームの画像を分析することによりこれらの特徴とを抽出することができる。
【００４７】
（６）就床
動作特徴抽出部１１２は、例えば「頭部位置の軌跡」、「体重のかけ方（体重移動）」、「柵の使用有無」、「就床動作に要した時間」を就床動作の特徴として抽出する。「頭部位置の軌跡」、「体重のかけ方（体重移動）」、「柵の使用有無」については、起床動作の特徴と同じ方法で抽出することができる。「就床動作に要した時間」は、就床動作の終了時刻と開始時刻の差である。
【００４８】
（７）夜の入眠
動作特徴抽出部１１２は、例えば「目が閉じた時刻」を入眠動作の特徴として抽出する。まばたきとの誤認を防ぐため、動作特徴抽出部１１２は、目を閉じた状態が所定時間（例えば３０秒）続いた場合に入眠と判断してもよい。
【００４９】
（通常動作の学習）
図６に、学習部１１３による対象者２１の通常動作の学習処理のフローを示す。このフローは、システムの設置時や見守り対象者の変更時など、新しい対象者の動作の監視を開始する前に実行される。
【００５０】
学習処理がスタートすると、画像取得部１１０が所定期間分（例えば１日〜数日間分）
の画像データを取得する（ステップＳ６０）。このとき、画像取得部１１０は撮像装置からリアルタイムに画像を取り込んでもよいし、撮影済みの画像データを記憶部１１８から読み込んでもよい。次に、動作検出部１１１が、ステップＳ６０で取得した画像データから前述した７項目の動作を検出し（ステップＳ６１）、動作特徴抽出部１１２が検出された動作それぞれの特徴を抽出する（ステップＳ６２）。これにより、７項目の動作のそれぞれについて、１回〜複数回分の動作特徴が抽出される。
【００５１】
続いて、学習部１１３が、ステップＳ６２で得られた１回〜複数回分の動作特徴に基づいて、当該対象者２１の通常動作特徴を生成する（ステップＳ６３）。学習用のデータとして１回分の動作特徴しか無い場合は、その動作特徴をそのまま通常動作特徴とすればよい。複数回分の動作特徴が存在する場合は、学習部１１３は、複数回分の動作特徴を基に平均的な動作特徴を生成する。具体的には、複数回分の動作特徴の平均、加重平均、最頻値、中間値などを計算すればよい。学習部１１３は、７項目の動作それぞれについて通常動作特徴を生成し、そのデータを記憶部１１４に登録する（ステップＳ６４）。
【００５２】
以上述べた通常動作の学習処理が完了すると、本システムは対象者２１の動作の監視を開始可能となる。なお、本実施形態では、システムの本稼働前に学習を完了する所謂オフライン学習の例を説明したが、システムの稼働中（対象者２１の動作の監視中）に学習を継続する所謂オンライン学習を実行してもよい。その場合は、例えば、新しい対象者２１の監視開始時は、通常動作特徴の初期値（工場設定値やユーザー設定値など）を用いて監視処理を行い、監視を続けながらオンライン学習を行うことで、通常動作特徴を対象者２１本人の情報に置き換えていくとよい。
【００５３】
（動作の監視）
図７に、見守り対象者の動作の監視処理のフローを示す。このフローは、見守り対象者の通常動作の学習完了後に開始される。
【００５４】
まず、画像取得部１１０が撮像装置１０から現在の画像データを取得する（ステップＳ７０）。次に、動作検出部１１１が、現在の画像データ（又は直近複数フレームの画像データ）を用いて７項目のうちのいずれかの動作を検出する（ステップＳ７１）。以後、ここで検出された動作を検出動作と呼ぶ。次に、動作特徴抽出部１１２が検出動作の動作特徴を抽出する（ステップＳ７２）。動作特徴の種類及び抽出方法は前述のとおりである。
【００５５】
次に、判定部１１５が、記憶部１１４から検出動作の通常動作特徴を読み込み（ステップＳ７３）、通常動作特徴とステップＳ７２で抽出した現在の動作特徴とを比較する（ステップＳ７４）。通常動作特徴と現在の動作特徴との差が閾値以下であれば、判定部１１５は、対象者２１の現在の動作が通常の動作であると判定し（ステップＳ７５）、（報知を行わずに）監視を継続する。他方、通常動作特徴と現在の動作特徴との差が閾値を超えていた場合は、判定部１１５は、対象者２１の現在の動作に異常ありと判定し、報知部１１６から必要な報知を行った後（ステップＳ７６）、監視を継続する。
【００５６】
以上述べた本実施形態によれば、見守りの対象者２１自身の通常の動作を学習（記憶）し、その通常の動作と比較することで対象者２１の動作が異常であるか否かを判定するので、動きの個人差にかかわらず、異常な動作を精度良く検知することができる。したがって、従来のような誤検知や過検知を減らすことができ、システムの信頼性を向上することができる。
【００５７】
＜その他＞
上記の各実施形態の説明は、本発明を例示的に説明するものに過ぎない。本発明は上記の具体的な形態には限定されることはなく、その技術的思想の範囲内で種々の変形が可能
である。
【００５８】
例えば、上記実施形態では、７項目の動作について学習・監視を行ったが、この７項目の動作はあくまで一例であり、学習・監視の対象となる動作はこれらに限られない。また項目数は１つでもよいし複数でもよい。また上記の動作特徴もあくまで一例であり、画像や他のセンサの結果から抽出可能な情報であり、かつ、動作の個人差を把握可能な情報であれば、どのような情報を動作特徴として利用してもよい。
【符号の説明】
【００５９】
１：見守り支援システム
１０：撮像装置、１１：情報処理装置
１００：照明、１０１：近赤外線カメラ、１１０：画像取得部、１１１：動作検出部、１１２：動作特徴抽出部、１１３：学習部、１１４：記憶部、１１５：判定部、１１６：報知部
２０：ベッド、２１：対象者
【図１】
2019020993.tif 000003
【図２】
2019020993.tif 000004
【図３】
2019020993.tif 000005
【図４】
2019020993.tif 000006
【図５】
2019020993.tif 000007
【図６】
2019020993.tif 000008
【図７】
2019020993.tif 000009